(57)【要約】      （修正有）【課題】ダブルデッキエレベータのコードレス化を実現可能なエレベータの非接触給電システムを提供すること。【解決手段】エレベータの非接触給電システムは、少なくとも２つのかご室１２，１３が上下方向に連結されたかご枠１１と、各かご室にそれぞれ設けられる受電装置４２と、各かご室にそれぞれ設けられるバッテリ装置４３と、所定のタイミングで給電装置４１が設置された給電階にかご枠を移動させ、給電装置４１から受電装置４２に非接触で給電させて、バッテリ装置４３への充電処理を実行するエレベータ制御装置１８とを備える。【選択図】図１
2018043834.tif 000002
【特許請求の範囲】
【請求項１】
少なくとも２つのかご室が上下方向に連結されたかご枠と、
前記各かご室にそれぞれ設けられる受電装置と、
前記各かご室にそれぞれ設けられるバッテリ装置と、
所定のタイミングで給電装置が設置された給電階に前記かご枠を移動させ、前記給電装置から前記受電装置に非接触で給電させて、前記バッテリ装置への充電処理を実行するエレベータ制御装置と
を具備することを特徴とするエレベータの非接触給電システム。
【請求項２】
前記エレベータ制御装置は、
前記各かごに呼び登録がなく、かつ前記各かご室内に利用者がいない状態のときに、前記かご枠の運転モードに応じた充電処理を実行することを特徴とする請求項１に記載のエレベータの非接触給電システム。
【請求項３】
前記エレベータ制御装置は、
前記かご枠の運転モードが、ダブル運転モード、セミダブル運転モード、シングル運転モードのいずれであるかを判断し、
前記各運転モードに応じた充電処理を実行することを特徴とする請求項２に記載のエレベータの非接触給電システム。
【請求項４】
前記エレベータ制御装置は、
前記かご枠の運転モードがダブル運転モードである場合、前記かご枠の現在の停止位置から最寄の給電階にサービス階として停止可能なかご室を前記最寄の給電階に移動させて、このかご室に設けられたバッテリ装置を充電し、
充電完了後、他のかご室を前記最寄の給電階に強制的に移動させて、前記他のかご室に設けられたバッテリ装置を充電することを特徴とする請求項３に記載のエレベータの非接触給電システム。
【請求項５】
前記エレベータ制御装置は、
前記かご枠の運転モードがセミダブル運転モードである場合、前記かご枠の現在の停止位置から最寄の給電階が基準階であるか否かを判断し、
前記最寄の給電階が基準階である場合、前記基準階にサービス階として停止可能なかご室を前記基準階に移動させて、このかご室に設けられたバッテリ装置を充電し、
充電完了後、他のかご室を前記基準階に強制的に移動させて、前記他のかご室に設けられたバッテリ装置を充電することを特徴とする請求項３に記載のエレベータの非接触給電システム。
【請求項６】
前記エレベータ制御装置は、
前記最寄の給電階が基準階でない場合、前記最寄の給電階に前記各かご室を順に移動させて、前記各かご室にそれぞれ設けられた各バッテリ装置を順に充電することを特徴とする請求項５に記載のエレベータの非接触給電システム。
【請求項７】
前記エレベータ制御装置は、
前記かご枠の運転モードがシングル運転モードである場合、前記各かご室のうち現在稼働中のかご室を、前記かご枠の現在の停止位置から最寄の給電階に移動させて、前記現在稼働中のかご室に設けられたバッテリ装置を充電することを特徴とする請求項３に記載のエレベータの非接触給電システム。
【請求項８】
前記エレベータ制御装置は、
前記バッテリ装置の充電残量が一定値以下の場合に、前記充電処理を実行することを特徴とする請求項１に記載のエレベータの非接触給電システム。
【請求項９】
前記エレベータ制御装置は、
前記バッテリ装置の充電残量が前記一定値以下のかご室を、前記かご枠の現在の停止位置から最寄の給電階に移動させて、このかご室に設けられたバッテリ装置を充電することを特徴とする請求項８に記載のエレベータの非接触給電システム。
【請求項１０】
前記エレベータ制御装置は、
充電完了後、新たな乗場呼びが登録されているか否かを判断し、
前記新たな乗場呼びが登録されていない場合には、前記バッテリ装置の充電残量が前記一定値より大きい他のかご室を前記最寄の給電階に移動させて、前記他のかご室に設けられたバッテリ装置も充電することを特徴とする請求項９に記載のエレベータの非接触給電システム。
【発明の詳細な説明】
【技術分野】
【０００１】
本発明の実施形態は、エレベータの運転に必要な電力を非接触で給電するエレベータの非接触給電システムに関する。
【背景技術】
【０００２】
近年、非接触給電技術への関心が高まり、様々な分野で利用されるようになっている。非接触給電技術は、主に、電磁誘導の原理を利用しており、一次側コイルに発生させた交流磁束を二次側コイルに印加させて起電力を発生させることで、電力を非接触で伝送する技術である。
【０００３】
エレベータの分野においては、乗りかごに設けられる緊急時用のバッテリの充電に非接触給電技術を適用することで、緊急時のみならず、通常時もバッテリの電力のみでかご内機器への電力供給が可能となり、コードレス化のメリットがあるため、非接触給電の技術導入が検討されている。
【０００４】
一方で、近年、超高層ビルの増加にしたがって、ビルのスペース効率を向上させるために、ビル内の縦の交通手段として、かご室を上下２段に構成した大量輸送が可能なダブルデッキエレベータが普及してきている。
【０００５】
これに伴い、ダブルデッキエレベータにおいても、非接触給電技術を導入することによるコードレス化が望まれている。
【先行技術文献】
【特許文献】
【０００６】
【特許文献１】特許第５８００６５０号公報
【発明の概要】
【発明が解決しようとする課題】
【０００７】
本発明が解決しようとする課題は、ダブルデッキエレベータのコードレス化を実現可能なエレベータの非接触給電システムを提供することである。
【課題を解決するための手段】
【０００８】
実施形態に係るエレベータの非接触給電システムは、少なくとも２つのかご室が上下方向に連結されたかご枠と、前記各かご室にそれぞれ設けられる受電装置と、前記各かご室にそれぞれ設けられるバッテリ装置と、所定のタイミングで給電装置が設置された給電階に前記かご枠を移動させ、前記給電装置から前記受電装置に非接触で給電させて、前記バッテリ装置への充電処理を実行するエレベータ制御装置とを具備する。
【図面の簡単な説明】
【０００９】
【図１】図１は、実施形態に係るエレベータの非接触給電システムの概略的な構成を示す図である。
【図２】図２は、ダブルデッキエレベータの運転モードの１つであるダブル運転モードを説明するための図である。
【図３】図３は、ダブルデッキエレベータの運転モードの１つであるセミダブル運転モードを説明するための図である。
【図４】図４は、ダブルデッキエレベータの運転モードの１つであるシングル運転モードを説明するための図である。
【図５】図５は、第１の実施形態に係るエレベータの非接触給電システムの動作の一例を示すフローチャートである。
【図６】図６は、同実施形態に係るダブル運転モード時の充電処理の手順の一例を示すフローチャートである。
【図７】図７は、同実施形態に係るセミダブル運転モード時の充電処理の手順の一例を示すフローチャートである。
【図８】図８は、同実施形態に係るシングル運転モード時の充電処理の手順の一例を示すフローチャートである。
【図９】図９は、第２の実施形態に係るエレベータの非接触給電システムの動作の一例を示すフローチャートである。
【図１０】図１０は、同実施形態に係る一方のバッテリ装置への充電処理の手順の一例を示すフローチャートである。
【図１１】図１１は、同実施形態に係る一方のバッテリ装置への充電処理の手順の変形例を示すフローチャートである。
【発明を実施するための形態】
【００１０】
以下、図面を参照して実施形態を説明する。  
［第１の実施形態］  
図１は、実施形態に係るエレベータの非接触給電システムの概略的な構成を示す図である。
【００１１】
本実施形態に係るエレベータはダブルデッキエレベータであり、ダブルデッキエレベータは、かご枠１１の中に上下に連結された２つの乗りかご（かご室）１２，１３を有する。以下では、下に位置する乗りかごのことを「下かご」、上に位置する乗りかごのことを「上かご」と称する。なお、本実施形態では、かご枠１１に２つの乗りかごが設けられている場合を例示するが、これに限定されず、かご枠１１には３つ以上の乗りかごが設けられていても良い。
【００１２】
建物の昇降路１４内にかご枠１１とカウンタウエイト１５が設けられている。かご枠１１とカウンタウエイト１５とは、それぞれに図示しないガイドレールに昇降動作可能に支持されている。下かご１２と上かご１３は、図示しない連結機構によって昇降（上下）方向に連結されている。
【００１３】
メインロープ１６の一端にかご枠１１が連結され、メインロープ１６の他端にカウンタウエイト１５が連結されている。メインロープ１６は、巻上機１７の回転軸に取り付けられたメインシーブ１７ａに巻回されている。１７ｂはそらせシーブである。巻上機１７は、エレベータ制御装置１８と共に建物の機械室に設置されている。なお、機械室を無くしたマシンルームレスタイプのエレベータでは、巻上機１７とエレベータ制御装置１８は昇降路１４内に設置される。
【００１４】
エレベータ制御装置１８は、巻上機１７の駆動制御を含め、エレベータ全体の制御を行うものであり、「制御盤」と称されても良い。エレベータ制御装置１８からの駆動指示により巻上機１７が駆動されると、メインロープ１６を介してかご枠１１内の下かご１２と上かご１３がカウンタウエイト１５と共につるべ式に昇降動作する。
【００１５】
商用電源１９は、巻上機１７やエレベータ制御装置１８を駆動するための電力を供給する電源装置である。
【００１６】
下かご１２及び上かご１３には、かご制御装置２０及びかご操作盤２１がそれぞれ設けられている。かご制御装置２０は、かごドアの開閉制御や照明機器の駆動制御、乗りかご内の空調制御などを行う。かご操作盤２１はかご室内に設けられており、各階に対応した行先階釦２１ａや戸開閉釦２１ｂ，２１ｃなどを有する。
【００１７】
一方、各階の乗場には、乗場呼び釦３１が設置されている。乗場呼び釦３１は、利用者の行先方向（上方向または下方向）を指定するための方向釦からなる。
【００１８】
ここで、本実施形態では、下かご１２及び上かご１３に対して非接触で電力が給電される構成にある。具体的には、昇降路１４内に給電装置４１、下かご１２及び上かご１３に受電装置４２がそれぞれ設置されている。給電装置４１が設置されている特定の階（以下、「給電階」と表記する）で給電装置４１と受電装置４２とが対向すると、給電装置４１から受電装置４２へ所要の電力が非接触で給電される。なお、給電装置４１は、例えば、最上階に設置されても良いし、乗りかごが最も頻繁に停止する基準階に設置されても良い。
【００１９】
受電装置４２は、下かご１２及び上かご１３が給電階に停止した際に給電装置４１に対向するように下かご１２及び上かご１３の側面あるいは上部などに設置される。下かご１２及び上かご１３にはバッテリ装置４３がそれぞれ設置されている。バッテリ装置４３は、受電装置４２に接続されており、給電装置４１から非接触で給電される電力を蓄える。バッテリ装置４３に蓄えられた電力は、かご室内の照明機器や表示機器、空調、ドアモータなどの駆動電力として使用される。なお、バッテリ装置４３の充電容量が大容量であれば、バッテリ装置４３に蓄えられた電力は、下かご１２及び上かご１３の間隔を調整可能な階間調整器を駆動するための駆動電力として使用されても良い。
【００２０】
このように、乗りかごに対する電力供給を非接触で行うことで、乗りかごに接続される電力ケーブルを不要化することができる、すなわち、コードレス化することができる。
【００２１】
なお、非接触給電の方式としては、例えば電磁誘導方式が用いられる。「電磁誘導方式」は、２つの隣接するコイルの一方（給電側コイル）に電流を流したときに発生する磁束を媒介として他方のコイル（受電側コイル）に送電する方式である。この他に、電流を電磁波に変換し、アンテナを介して送電する「電波方式」や、電磁界の共鳴現象を利用した「電磁界共鳴方式」などがあるが、本発明ではこれらの方式に特に限定されるものではない。
【００２２】
エレベータ制御装置１８は、下かご１２及び上かご１３にそれぞれ設置されたバッテリ装置４３を充電するために、ダブルデッキエレベータの運転モードに応じて、かご枠１１の運転制御を行う。なお、エレベータ制御装置１８によって実行される処理の詳細については、フローチャートの説明と共に後述するため、ここではその詳しい説明は省略する。
【００２３】
ここで、ダブルデッキエレベータの運転モードについて説明する。  
ダブルデッキエレベータ（かご枠１１）の運転モードには、ダブル運転モード、セミダブル運転モード、シングル運転モードがある。各運転モード毎に、サービス階が異なる。サービス階とは、所定の運転モード時に本来停止可能な階床を指す。
【００２４】
・ダブル運転モードは、図２に示すように、例えば下かご１２を奇数階（１階、３階、５階、・・・）、上かご１３を偶数階（２階、４階、６階、・・・）に停止させるように上下かごを１階床おきに停止させる。かごの停止回数が通常のエレベータの半分になり、一周時間が短いため、高輸送能力が得られる。このため、出勤時や昼食時などの交通需要の多い時に特に使われる。しかし、奇数階から奇数階、または、偶数階から偶数階にしか行けない。このため、奇数階から偶数階、または、偶数階から奇数階に行くためには、利用者は、行先階（目的階）の１階床手前もしくは１階床先の階床で降車し、そこから階段もしくはエスカレータなどを利用して、移動しなければならない。
【００２５】
・セミダブル運転モードは、図３に示すように、基準階でのみダブル運転にして奇数階と偶数階をサービスするかごを使い分け、基準階から出発して一度停止した後は奇数階、偶数階の区別なく運転する。奇数階と偶数階間の移動ができて便利であり、通常時間帯などに使われる。しかし、ダブル運転モードより輸送能力は低くなるので、待ち時間が増えるなど、運行効率は低下する。
【００２６】
・シングル運転モードは、図４に示すように、上下かごの一方のかごを未使用にして１つのかごのみで各階を運転する。図４の例では、上かご１３を未使用にしているが、下かご１２を未使用にして上かご１３のみで各階を運転することもできる。上記したセミダブル運転モードと同様に、奇数階と偶数階間の移動ができて便利であり、輸送能力が求められない閑散時などに使われる。
【００２７】
次に、図５のフローチャートを参照して、第１の実施形態に係るエレベータの非接触給電システムの動作の一例について説明する。  
まず、エレベータ制御装置１８は、かご枠１１が現在「待機状態」で停止しているか否かを判断する（ステップＳ１）。待機状態とは、下かご１２及び上かご１３のどちらにも乗場呼び及びかご呼びが登録されていない状態であり、かつ図示しない荷重検出器によって下かご１２及び上かご１３内の積載荷重が一定時間検出されていない状態を指す。
【００２８】
かご枠１１が待機状態で停止していないと判断された場合、つまり、呼びの登録が途切れない状態またはかご内の荷重検出が続いている場合（ステップＳ１のＮＯ）、エレベータ制御装置１８は、現段階で既に登録されている乗場呼び及びかご呼びにかご枠１１を応答させてから、上記したステップＳ１の処理を再度実行する。
【００２９】
かご枠１１が待機状態で停止していると判断された場合（ステップＳ１のＹＥＳ）、エレベータ制御装置１８は、かご枠１１の現在の運転モードが何かを判断する（ステップＳ２）。具体的には、エレベータ制御装置１８は、かご枠１１の現在の運転モードが、ダブル運転モード、セミダブル運転モード、シングル運転モードのうちのいずれであるかを判断する。
【００３０】
かご枠１１の現在の運転モードがダブル運転モードであると判断された場合（ステップＳ２のダブル運転）、エレベータ制御装置１８は、下かご１２及び上かご１３にそれぞれ設置されたバッテリ装置４３を充電するために、ダブル運転モード時の充電処理（運転制御）を実行し（ステップＳ３）、後述するステップＳ６の処理に進む。
【００３１】
なお、ダブル運転モード時の充電処理については、図６のフローチャートと共に後述するため、ここでは詳細な説明は省略する。
【００３２】
一方、かご枠１１の現在の運転モードがセミダブル運転モードであると判断された場合（ステップＳ２のセミダブル運転）、エレベータ制御装置１８は、下かご１２及び上かご１３にそれぞれ設置されたバッテリ装置４３を充電するために、セミダブル運転モード時の充電処理（運転制御）を実行し（ステップＳ４）、後述するステップＳ６の処理に進む。
【００３３】
なお、セミダブル運転モード時の充電処理については、図７のフローチャートと共に後述するため、ここでは詳細な説明は省略する。
【００３４】
さらに、かご枠１１の現在の運転モードがシングル運転モードであると判断された場合（ステップＳ２のシングル運転）、エレベータ制御装置１８は、現在稼働中の一方の乗りかごに設置されたバッテリ装置４３を充電するために、シングル運転モード時の充電処理（運転制御）を実行し（ステップＳ５）、後述するステップＳ６の処理に進む。
【００３５】
なお、シングル運転モード時の充電処理については、図８のフローチャートと共に後述するため、ここでは詳細な説明は省略する。
【００３６】
しかる後、エレベータ制御装置１８は、バッテリ装置４３への充電が完了すると、通常運転に復帰し、新たに発生した乗場呼びに応答して、かご枠１１を乗場呼び登録階に移動させ（ステップＳ６）、ここでの処理を終了させる。
【００３７】
続いて、図６のフローチャートを参照して、図５に示したステップＳ３のダブル運転モード時の充電処理の手順の一例について説明する。なお、以下では、ダブル運転モード時には、下かご１２が奇数階に停止し（奇数階をサービス階とし）、上かご１３が偶数階に停止する（偶数階をサービス階とする）場合を想定して説明する。
【００３８】
まず、エレベータ制御装置１８は、待機状態のかご枠１１の現在の停止位置から最も近い給電階（換言すると「最寄の給電階」）が奇数階または偶数階のどちらであるかを判断する（ステップＡ１）。
【００３９】
最寄の給電階が奇数階であると判断された場合（ステップＡ１の奇数階）、エレベータ制御装置１８は、奇数階に停止可能な下かご１２を最寄の給電階に移動させて、下かご１２に設置されたバッテリ装置４３を充電する（ステップＡ２）。
【００４０】
図１に示したように、給電階には給電装置４１が設置されている。乗りかごが給電階に到着すると、給電装置４１と受電装置４２との間で非接触給電が行われる。その際、一定の走行距離に必要な充電量Ｔｃを満たすまで給電装置４１から給電を行う。例えば、乗りかごを最下階から最上階まで、所定回数（例えば３０回）往復するために必要な電力値を予め測定しておき、その電力値を充電完了の判断値（指標）として用いて充電量Ｔｃまで給電を行うものとする。
【００４１】
その後、エレベータ制御装置１８は、下かご１２のバッテリ装置４３への充電が完了したか否かを判断する（ステップＡ３）。具体的には、エレベータ制御装置１８は、バッテリ装置４３への充電量が上記した充電量Ｔｃに達したか否かを判断することで、バッテリ装置４３への充電が完了したか否かを判断する。なお、バッテリ装置４３への充電が未完了（不十分）であると判断された場合（ステップＡ３のＮＯ）、上記したステップＡ２の処理に戻り、下かご１２に設置されたバッテリ装置４３への充電を継続する。
【００４２】
一方、バッテリ装置４３への充電が完了したと判断された場合（ステップＡ３のＹＥＳ）、エレベータ制御装置１８は、奇数階に本来停止しない上かご１３を最寄の給電階（奇数階）に強制的に移動させて、上かご１３に設置されたバッテリ装置４３を充電する（ステップＡ４）。
【００４３】
その後、エレベータ制御装置１８は、上記したステップＡ３の処理と同様に、上かご１３のバッテリ装置４３への充電が完了したか否かを判断する（ステップＡ５）。なお、バッテリ装置４３への充電が未完了であると判断された場合（ステップＡ５のＮＯ）、上記したステップＡ４の処理に戻り、上かご１３に設置されたバッテリ装置４３への充電を継続する。
【００４４】
一方、バッテリ装置４３への充電が完了したと判断された場合（ステップＡ５のＹＥＳ）、図５に示したステップＳ６の処理に進み、ダブル運転モード時の充電処理を終了させる。
【００４５】
ステップＡ１の処理において、最寄の給電階が偶数階であると判断された場合（ステップＡ１の偶数階）、エレベータ制御装置１８は、偶数階に停止可能な上かご１３を最寄の給電階に移動させて、上かご１３に設置されたバッテリ装置４３を充電する（ステップＡ６）。
【００４６】
その後、エレベータ制御装置１８は、上かご１３のバッテリ装置４３への充電が完了したか否かを判断する（ステップＡ７）。なお、バッテリ装置４３への充電が未完了であると判断された場合（ステップＡ７のＮＯ）、上記したステップＡ６の処理に戻り、上かご１３に設置されたバッテリ装置４３への充電を継続する。
【００４７】
一方、バッテリ装置４３への充電が完了したと判断された場合（ステップＡ７のＹＥＳ）、エレベータ制御装置１８は、偶数階に本来停止しない下かご１２を最寄の給電階（偶数階）に強制的に移動させて、下かご１２に設置されたバッテリ装置４３を充電する（ステップＡ８）。
【００４８】
その後、エレベータ制御装置１８は、上記したステップＡ７の処理と同様に、下かご１２のバッテリ装置４３への充電が完了したか否かを判断する（ステップＡ９）。なお、バッテリ装置４３への充電が未完了であると判断された場合（ステップＡ９のＮＯ）、上記したステップＡ８の処理に戻り、下かご１２に設置されたバッテリ装置４３への充電を継続する。
【００４９】
一方、バッテリ装置４３への充電が完了したと判断された場合（ステップＡ９のＹＥＳ）、図５に示したステップＳ６の処理に進み、ダブル運転モード時の充電処理を終了させる。
【００５０】
次に、図７のフローチャートを参照して、図５に示したステップＳ４のセミダブル運転モード時の充電処理の手順の一例について説明する。なお、以下では、基準階が１階（奇数階）である場合を想定して説明する。すなわち、通常であれば、基準階には下かご１２だけが停止可能である場合を想定して説明する。
【００５１】
まず、エレベータ制御装置１８は、待機状態のかご枠１１の現在の停止位置から最も近い給電階が基準階であるか否かを判断する（ステップＢ１）。
【００５２】
最寄の給電階が基準階であると判断された場合（ステップＢ１のＹＥＳ）、エレベータ制御装置１８は、基準階に停止可能な下かご１２を基準階に移動させて、下かご１２に設置されたバッテリ装置４３を充電する（ステップＢ２）。
【００５３】
その後、エレベータ制御装置１８は、下かご１２のバッテリ装置４３への充電が完了したか否かを判断する（ステップＢ３）。なお、バッテリ装置４３への充電が未完了であると判断された場合（ステップＢ３のＮＯ）、上記したステップＢ２の処理に戻り、下かご１２に設置されたバッテリ装置４３への充電を継続する。
【００５４】
一方、バッテリ装置４３への充電が完了したと判断された場合（ステップＢ３のＹＥＳ）、エレベータ制御装置１８は、基準階に本来停止しない上かご１３を基準階に強制的に移動させて、上かご１３に設置されたバッテリ装置４３を充電する（ステップＢ４）。
【００５５】
その後、エレベータ制御装置１８は、上記したステップＢ３の処理と同様に、上かご１３のバッテリ装置４３への充電が完了したか否かを判断する（ステップＢ５）。なお、バッテリ装置４３への充電が未完了であると判断された場合（ステップＢ５のＮＯ）、上記したステップＢ４の処理に戻り、上かご１３に設置されたバッテリ装置４３への充電を継続する。
【００５６】
一方、バッテリ装置４３への充電が完了したと判断された場合（ステップＢ５のＹＥＳ）、図５に示したステップＳ６の処理に進み、セミダブル運転モード時の充電処理を終了させる。
【００５７】
ステップＢ１の処理において、最寄の給電階が基準階でないと判断された場合（ステップＢ１のＮＯ）、エレベータ制御装置１８は、最寄の給電階がかご枠１１の現在の停止位置から見て上方向または下方向のどちらに存在するかを判断する（ステップＢ６）。
【００５８】
最寄の給電階が下方向に存在する場合（ステップＢ６の下方向）、エレベータ制御装置１８は、下かご１２を最寄の給電階に移動させて、下かご１２に設置されたバッテリ装置４３を充電する（ステップＢ７）。
【００５９】
なお、最寄の給電階が現在の停止位置から見て下方向に存在する場合、まず下かご１２を給電階に移動させてから、上かご１３を当該給電階に移動させた方がかご枠１１の移動効率が良いので、下かご１２を先に最寄の給電階に移動させる。同様な理由で、最寄の給電階が現在の停止位置から見て上方向に存在する場合、上かご１３を先に最寄の給電階に移動させる。
【００６０】
その後、エレベータ制御装置１８は、下かご１２のバッテリ装置４３への充電が完了したか否かを判断する（ステップＢ８）。なお、バッテリ装置４３への充電が未完了であると判断された場合（ステップＢ８のＮＯ）、上記したステップＢ７の処理に戻り、下かご１２に設置されたバッテリ装置４３への充電を継続する。
【００６１】
一方、バッテリ装置４３への充電が完了したと判断された場合（ステップＢ８のＹＥＳ）、エレベータ制御装置１８は、上かご１３を最寄の給電階に移動させて、上かご１３に設置されたバッテリ装置４３を充電する（ステップＢ９）。
【００６２】
その後、エレベータ制御装置１８は、上記したステップＢ８の処理と同様に、上かご１３のバッテリ装置４３への充電が完了したか否かを判断する（ステップＢ１０）。なお、バッテリ装置４３への充電が未完了であると判断された場合（ステップＢ１０のＮＯ）、上記したステップＢ９の処理に戻り、上かご１３に設置されたバッテリ装置４３への充電を継続する。
【００６３】
一方、バッテリ装置４３への充電が完了したと判断された場合（ステップＢ１０のＹＥＳ）、図５に示したステップＳ６の処理に進み、セミダブル運転モード時の充電処理を終了させる。
【００６４】
ステップＢ６の処理において、最寄の給電階が上方向に存在する場合（ステップＢ６の上方向）、エレベータ制御装置１８は、上かご１３を最寄の給電階に移動させて、上かご１３に設置されたバッテリ装置４３を充電する（ステップＢ１１）。
【００６５】
その後、エレベータ制御装置１８は、上かご１３のバッテリ装置４３への充電が完了したか否かを判断する（ステップＢ１２）。なお、バッテリ装置４３への充電が未完了であると判断された場合（ステップＢ１２のＮＯ）、上記したステップＢ１１の処理に戻り、上かご１３に設置されたバッテリ装置４３への充電を継続する。
【００６６】
一方、バッテリ装置４３への充電が完了したと判断された場合（ステップＢ１２のＹＥＳ）、エレベータ制御装置１８は、下かご１２を最寄の給電階に移動させて、下かご１２に設置されたバッテリ装置４３を充電する（ステップＢ１３）。
【００６７】
その後、エレベータ制御装置１８は、上記したステップＢ１２の処理と同様に、下かご１２のバッテリ装置４３への充電が完了したか否かを判断する（ステップＢ１４）。なお、バッテリ装置４３への充電が未完了であると判断された場合（ステップＢ１４のＮＯ）、上記したステップＢ１３の処理に戻り、下かご１２に設置されたバッテリ装置４３への充電を継続する。
【００６８】
一方、バッテリ装置４３への充電が完了したと判断された場合（ステップＢ１４のＹＥＳ）、図５に示したステップＳ６の処理に進み、セミダブル運転モード時の充電処理を終了させる。
【００６９】
さらに、図８のフローチャートを参照して、図５に示したステップＳ５のシングル運転モード時の充電処理の手順の一例について説明する。
【００７０】
まず、エレベータ制御装置１８は、待機状態のかご枠１１の現在の停止位置から最も近い給電階に現在稼働中の一方の乗りかごを移動させて、当該乗りかごに設置されたバッテリ装置４３を充電する（ステップＣ１）。
【００７１】
その後、エレベータ制御装置１８は、バッテリ装置４３への充電が完了したか否かを判断する（ステップＣ２）。なお、バッテリ装置４３への充電が未完了であると判断された場合（ステップＣ２のＮＯ）、上記したステップＣ１の処理に戻り、バッテリ装置４３への充電を継続する。
【００７２】
一方、バッテリ装置４３への充電が完了したと判断された場合（ステップＣ２のＹＥＳ）、図５に示したステップＳ６の処理に進み、シングル運転モード時の充電処理を終了させる。
【００７３】
以上説明したように、エレベータ制御装置１８は、バッテリ装置４３に電力を充電するにあたって、ダブルデッキエレベータの運転モード毎に最適なかご枠１１の運転制御を実行することができる。このため、給電階がサービス階でない乗りかごのバッテリ装置４３にも電力を充電することができる。
【００７４】
以上説明した第１の実施形態によれば、給電階に設置された給電装置４１から下かご１２及び上かご１３にそれぞれ設置された受電装置４２に電力が給電され、下かご１２及び上かご１３にそれぞれ設置されたバッテリ装置４３に電力を蓄えることができるので、バッテリ装置４３に蓄えられた電力で乗りかご内で必要とされる電力を賄うことができる。つまり、乗りかご内に電力を送電するためのテールコードを必要とせず、コードレス化を実現することができる。
【００７５】
なお、本実施形態では、一方のかごに設置されたバッテリ装置４３の充電が完了したら、他方のかごを給電階に移動させて、他方のかごに設置されたバッテリ装置４３への充電を行うとしたが、他方のかごに設置されたバッテリ装置４３は別の方法で充電されても良い。
【００７６】
例えば、一方のかごに設置されたバッテリ装置４３から他方のかごに設置されたバッテリ装置４３に送電可能な回路（送電回路）がさらに設けられても良い。
【００７７】
この場合、一方のかごに設置されたバッテリ装置４３の充電が完了したら、上記した送電回路を利用して、一方のかごに設置されたバッテリ装置４３から他方のかごに設置されたバッテリ装置４３に送電することができるので、他方のかごを給電階に移動させなくても他方のかごに設置されたバッテリ装置４３を充電することができ、ひいては、他方のかごを給電階に移動させる際にかかる時間分だけ、充電に要する時間を短縮することができるという利点を得ることができる。
【００７８】
さらに、上記した送電回路が設けられることで、一方のかごに設置されたバッテリ装置４３の充電残量が少なくなった場合や故障した場合に、他方のかごに設置されたバッテリ装置４３から電力を一時的に送電することもできる（バックアップ回路として機能することもできる）ので、より汎用性に富んだエレベータの非接触給電システムを実現させることができる。
【００７９】
［第２の実施形態］  
次に、第２の実施形態について説明する。本実施形態は、バッテリ装置４３の充電残量に応じてバッテリ装置４３への充電を行う点と、バッテリ装置４３の充電残量が一方のみ不足している場合に当該一方のバッテリ装置４３にのみ充電可能としている点で、第１の実施形態と相違する。
【００８０】
以下、図９のフローチャートを参照しながら、第２の実施形態に係るエレベータの非接触給電システムについて説明する。
【００８１】
図９は、第２の実施形態に係るエレベータの非接触給電システムの動作の一例を示すフローチャートである。なお、図５に示した処理と同一の処理については同一の符号を付し、ここではその詳しい説明を省略する。
【００８２】
まず、エレベータ制御装置１８は、下かご１２及び上かご１３にそれぞれ設置されたバッテリ装置４３の少なくとも一方の充電残量が一定値以下であるか否かを判断する（ステップＳ１１）。なお、下かご１２及び上かご１３にそれぞれ設置されたバッテリ装置４３の充電残量が共に一定値よりも大きい場合（ステップＳ１１のＮＯ）、所定時間経過後に、ステップＳ１１の処理を再度実行する。
【００８３】
一方、下かご１２及び上かご１３にそれぞれ設置されたバッテリ装置４３のうちの少なくとも一方のバッテリ装置４３の充電残量が一定値以下であると判断された場合（ステップＳ１１のＹＥＳ）、エレベータ制御装置１８は、バッテリ装置４３の充電残量が一定値以下であるのは下かご１２及び上かご１３の両方か否かを判断する（ステップＳ１２）。なお、下かご１２及び上かご１３の両方のバッテリ装置４３の充電残量が一定値以下であると判断された場合（ステップＳ１２のＹＥＳ）、ステップＳ１〜Ｓ４，Ｓ６の処理が実行され、バッテリ装置４３への充電を行う。
【００８４】
一方で、下かご１２及び上かご１３の両方のバッテリ装置４３の充電残量が一定値以下でない、つまり、下かご１２及び上かご１３のうちのどちらか一方のかごのバッテリ装置４３の充電残量が一定値以下であると判断された場合（ステップＳ１２のＮＯ）、エレベータ制御装置１８は、充電残量が一定値以下のバッテリ装置４３にのみ充電処理を実行し（ステップＳ１３）、ステップＳ６の処理に進む。
【００８５】
ここで、図１０のフローチャートを参照して、図９に示したステップＳ１３の一方のバッテリ装置４３への充電処理（を実行するための運転制御）の手順の一例について説明する。
【００８６】
まず、エレベータ制御装置１８は、充電残量が一定値以下のバッテリ装置４３が設置されたかごは下かご１２または上かご１３のどちらであるかを認識する（ステップＤ１）。
【００８７】
充電残量が一定値以下のバッテリ装置４３が設置されたかごが下かご１２である場合（ステップＤ１の下かご）、エレベータ制御装置１８は、下かご１２を充電対象として認識する（ステップＤ２）。同様に、充電残量が一定値以下のバッテリ装置４３が設置されたかごが上かご１３である場合（ステップＤ１の上かご）、エレベータ制御装置１８は、上かご１３を充電対象として認識する（ステップＤ３）。
【００８８】
ステップＤ２またはＤ３の処理が実行されると、エレベータ制御装置１８は、かご枠１１が現在待機状態で停止しているか否かを判断する（ステップＤ４）。なお、かご枠１１が待機状態で停止していないと判断された場合、つまり、呼びの登録が途切れない状態またはかご内の荷重検出が続いている場合（ステップＤ４のＮＯ）、エレベータ制御装置１８は、現段階で既に登録されている乗場呼び及びかご呼びにかご枠１１を応答させてから、上記したステップＤ４の処理を再度実行する。
【００８９】
かご枠１１が待機状態で停止していると判断された場合（ステップＤ４のＹＥＳ）、エレベータ制御装置１８は、かご枠１１の現在の停止位置から最も近い給電階が充電対象の停止階であるか否かを判断する（ステップＤ５）。
【００９０】
最寄の給電階が充電対象の停止階であると判断された場合（ステップＤ５のＹＥＳ）、エレベータ制御装置１８は、充電対象を最寄の給電階に移動させて、当該充電対象に設置されたバッテリ装置４３を充電する（ステップＤ６）。
【００９１】
その後、エレベータ制御装置１８は、バッテリ装置４３への充電が完了したか否かを判断する（ステップＤ７）。なお、バッテリ装置４３への充電が未完了であると判断された場合（ステップＤ７のＮＯ）、上記したステップＤ６の処理に戻り、バッテリ装置４３への充電を継続する。
【００９２】
一方、バッテリ装置４３への充電が完了したと判断された場合（ステップＤ７のＹＥＳ）、図９に示したステップＳ６の処理に進み、一方のバッテリ装置４３への充電処理を終了させる。
【００９３】
ステップＤ５の処理において、最寄の給電階が充電対象の停止階でないと判断された場合（ステップＤ５のＮＯ）、エレベータ制御装置１８は、充電対象を本来停止しない給電階に強制的に移動させて、当該充電対象に設置されたバッテリ装置４３を充電する（ステップＤ８）。
【００９４】
その後、エレベータ制御装置１８は、バッテリ装置４３への充電が完了したか否かを判断する（ステップＤ９）。なお、バッテリ装置４３への充電が未完了であると判断された場合（ステップＤ９のＮＯ）、上記したステップＤ８の処理に戻り、バッテリ装置４３への充電を継続する。
【００９５】
一方、バッテリ装置４３への充電が完了したと判断された場合（ステップＤ９のＹＥＳ）、図９に示したステップＳ６の処理に進み、一方のバッテリ装置４３への充電処理を終了させる。
【００９６】
以上説明した第２の実施形態によれば、下かご１２及び上かご１３にそれぞれ設置されたバッテリ装置４３のうちの一方だけが充電不足になった場合に、充電不足のバッテリ装置４３だけを充電することができるので、図５に示した処理に比べて、充電に要する時間を短縮することができる。具体的には、もう一方の乗りかごを給電階に移動させる時間と、もう一方の乗りかごに設置されたバッテリ装置４３を充電するのにかかる時間とを短縮することができる。
【００９７】
なお、図１０に示した一連の処理は、図１１のフローチャートに示す一連の処理に置き換えられても良い。
【００９８】
図１１は、一方のバッテリ装置４３への充電処理の変形例を示すフローチャートである。なお、図１０に示した処理と同一の処理については同一の符号を付し、ここではその詳しい説明を省略する。
【００９９】
ステップＤ１〜Ｄ９の処理が実行されると、エレベータ制御装置１８は、新たに発生した乗場呼びが登録されたか否かを判断する（ステップＤ１０）。なお、新たに発生した乗場呼びが登録されたと判断された場合（ステップＤ１０のＹＥＳ）、図９に示したステップＳ６の処理に進み、当該一連の処理を終了させ、新たな乗場呼びに応答する。
【０１００】
一方、新たに発生した乗場呼びが無いと判断された場合（ステップＤ１０のＮＯ）、エレベータ制御装置１８は、充電対象でなかったもう一方のかご（非充電対象のかご）を給電階に移動させて、非充電対象のバッテリ装置４３を充電する（ステップＤ１１）。
【０１０１】
その後、エレベータ制御装置１８は、非充電対象のバッテリ装置４３への充電が完了したか否かを判断する（ステップＤ１２）。なお、バッテリ装置４３への充電が未完了であると判断された場合（ステップＤ１２のＮＯ）、上記したステップＤ１１の処理に戻り、バッテリ装置４３への充電を継続する。
【０１０２】
一方、バッテリ装置４３への充電が完了したと判断された場合（ステップＤ１２のＹＥＳ）、図９に示したステップＳ６の処理に進み、当該一連の処理を終了させる。
【０１０３】
このように、充電対象のかごのバッテリ装置４３への充電が終了した時点で、新たに発生した乗場呼びが無い場合、非充電対象のかごのバッテリ装置４３の充電残量が一定値以下でなくとも充電してしまう構成とすることにより、先々まで考慮した上で、より効率的な充電処理を実現させることができる。
【０１０４】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０５】
１１…かご枠、１２…下かご、１３…上かご、１４…昇降路、１５…カウンタウエイト、１６…メインロープ、１７…巻上機、１７ａ…メインシーブ、１７ｂ…そらせシーブ、１８…エレベータ制御装置、１９…商用電源、２０…かご制御装置、２１…かご操作盤、２１ａ…行先階釦、２１ｂ，２１ｃ…戸開閉釦、３１…乗場呼び釦、４１…給電装置、４２…受電装置、４３…バッテリ装置。
【図１】
2018043834.tif 000003
【図２】
2018043834.tif 000004
【図３】
2018043834.tif 000005
【図４】
2018043834.tif 000006
【図５】
2018043834.tif 000007
【図６】
2018043834.tif 000008
【図７】
2018043834.tif 000009
【図８】
2018043834.tif 000010
【図９】
2018043834.tif 000011
【図１０】
2018043834.tif 000012
【図１１】
2018043834.tif 000013
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
少なくとも２つのかご室が上下方向に連結されたかご枠と、
前記各かご室にそれぞれ設けられる受電装置と、
前記各かご室にそれぞれ設けられるバッテリ装置と、
所定のタイミングで給電装置が設置された給電階に前記かご枠を移動させ、前記給電装置から前記受電装置に非接触で給電させて、前記バッテリ装置への充電処理を実行するエレベータ制御装置と
を具備し、
前記エレベータ制御装置は、
前記かご枠の運転モードが、ダブル運転モード、セミダブル運転モード、シングル運転モードのいずれであるかを判断し、
前記各運転モードに応じた充電処理を実行することを特徴とするエレベータの非接触給電システム。
【請求項２】
前記エレベータ制御装置は、
前記各かごに呼び登録がなく、かつ前記各かご室内に利用者がいない状態のときに、前記かご枠の運転モードに応じた充電処理を実行することを特徴とする請求項１に記載のエレベータの非接触給電システム。
【請求項３】
前記エレベータ制御装置は、
前記かご枠の運転モードがダブル運転モードである場合、前記かご枠の現在の停止位置から最寄の給電階にサービス階として停止可能なかご室を前記最寄の給電階に移動させて、このかご室に設けられたバッテリ装置を充電し、
充電完了後、他のかご室を前記最寄の給電階に強制的に移動させて、前記他のかご室に設けられたバッテリ装置を充電することを特徴とする請求項１に記載のエレベータの非接触給電システム。
【請求項４】
前記エレベータ制御装置は、
前記かご枠の運転モードがセミダブル運転モードである場合、前記かご枠の現在の停止位置から最寄の給電階が基準階であるか否かを判断し、
前記最寄の給電階が基準階である場合、前記基準階にサービス階として停止可能なかご室を前記基準階に移動させて、このかご室に設けられたバッテリ装置を充電し、
充電完了後、他のかご室を前記基準階に強制的に移動させて、前記他のかご室に設けられたバッテリ装置を充電することを特徴とする請求項１に記載のエレベータの非接触給電システム。
【請求項５】
前記エレベータ制御装置は、
前記最寄の給電階が基準階でない場合、前記最寄の給電階に前記各かご室を順に移動させて、前記各かご室にそれぞれ設けられた各バッテリ装置を順に充電することを特徴とする請求項４に記載のエレベータの非接触給電システム。
【請求項６】
前記エレベータ制御装置は、
前記かご枠の運転モードがシングル運転モードである場合、前記各かご室のうち現在稼働中のかご室を、前記かご枠の現在の停止位置から最寄の給電階に移動させて、前記現在稼働中のかご室に設けられたバッテリ装置を充電することを特徴とする請求項１に記載のエレベータの非接触給電システム。
【請求項７】
前記エレベータ制御装置は、
前記バッテリ装置の充電残量が一定値以下の場合に、前記充電処理を実行することを特徴とする請求項１に記載のエレベータの非接触給電システム。
【請求項８】
前記エレベータ制御装置は、
前記バッテリ装置の充電残量が前記一定値以下のかご室を、前記かご枠の現在の停止位置から最寄の給電階に移動させて、このかご室に設けられたバッテリ装置を充電することを特徴とする請求項７に記載のエレベータの非接触給電システム。
【請求項９】
前記エレベータ制御装置は、
充電完了後、新たな乗場呼びが登録されているか否かを判断し、
前記新たな乗場呼びが登録されていない場合には、前記バッテリ装置の充電残量が前記一定値より大きい他のかご室を前記最寄の給電階に移動させて、前記他のかご室に設けられたバッテリ装置も充電することを特徴とする請求項８に記載のエレベータの非接触給電システム。
【手続補正２】
【補正対象書類名】明細書
【補正対象項目名】０００８
【補正方法】変更
【補正の内容】
【０００８】
実施形態に係るエレベータの非接触給電システムは、少なくとも２つのかご室が上下方向に連結されたかご枠と、前記各かご室にそれぞれ設けられる受電装置と、前記各かご室にそれぞれ設けられるバッテリ装置と、所定のタイミングで給電装置が設置された給電階に前記かご枠を移動させ、前記給電装置から前記受電装置に非接触で給電させて、前記バッテリ装置への充電処理を実行するエレベータ制御装置とを具備し、前記エレベータ制御装置は、前記かご枠の運転モードが、ダブル運転モード、セミダブル運転モード、シングル運転モードのいずれであるかを判断し、前記各運転モードに応じた充電処理を実行する。